(57)【要約】【課題】デジタル放送システムにおいて付加放送を提供するための送受信装置及び方法を提供する。【解決手段】放送チャネルに対する制御データと要約情報をデータ転送区間に割り当てて制御チャネルを通じて転送し、前記要約情報に対応する付加放送を複数の放送チャネルのうち少なくとも一つのチャネルに割り当てて転送する送信機と、前記制御チャネルを通じて転送される信号を受信し、前記データ転送区間から前記要約情報を検索して表示し、前記要約情報に対応する付加放送の受信が要求される場合、前記付加放送の転送される放送チャネルを受信する受信機と、を含めて構成されるデジタル放送システムを提供する。【選択図】図３
2005094736.tif 000002
【特許請求の範囲】
【請求項１】
制御チャネルと複数の放送チャネルとを備え、前記制御チャネルは同期信号区間とデータ転送区間を交互に転送するデジタル放送システムにおいて、
前記放送チャネルに対する制御データと要約情報を前記データ転送区間に割り当てて前記制御チャネルを通じて転送し、前記要約情報に対応する付加放送を前記複数の放送チャネルのうち少なくとも一つのチャネルに割り当てて転送する送信機と、
前記制御チャネルを通じて転送される信号を受信し、前記データ転送区間から前記要約情報を検索して表示し、前記要約情報に対応する付加放送の受信が要求される場合前記付加放送の転送される放送チャネルを受信する受信機と、を含めて構成されることを特徴とするシステム。
【請求項２】
前記データ転送区間は、制御データ区間と付加放送区間とに区分されることを特徴とする請求項１に記載のシステム。
【請求項３】
前記送信機は、前記制御データと前記要約情報を前記制御データ区間と前記付加放送区間にそれぞれ割り当て、所定の同期信号を前記同期信号区間に割り当てる多重化器をさらに含めて構成されることを特徴とする請求項２に記載のシステム。
【請求項４】
前記多重化器は、前記制御データと前記要約情報を多重化する第２多重化器をさらに含めて構成されることを特徴とする請求項３記載のシステム。
【請求項５】
前記要約情報は、前記付加放送の転送される放送チャネル番号を含むことを特徴とする請求項１に記載のシステム。
【請求項６】
前記受信機は、
前記付加放送区間に前記要約情報が存在するか否か検査する付加放送判断回路と、
前記付加放送区間から前記要約情報を抽出する付加放送抽出回路と、
前記要約情報から前記付加放送の転送される放送チャネル番号を検索する付加放送切替回路と、をさらに含めて構成されることを特徴とする請求項５に記載のシステム。
【請求項７】
制御チャネルと複数の放送チャネルを備え、前記制御チャネルは同期信号区間とデータ転送区間を交互に転送するデジタル放送システムにおいて、
前記データ転送区間を制御データ区間と付加放送区間とに区分し、要約情報と前記放送チャネルに対する制御データと所定の同期信号をそれぞれ、前記付加放送区間と前記制御データ区間と前記同期信号区間に割り当てて多重化し、前記制御チャネルを通じて転送する送信機と、
前記制御チャネルを通じて転送される信号を受信し、前記付加放送区間に前記要約情報が存在するか否か判断し、前記要約情報を前記付加放送区間から抽出して使用者に提供する受信機と、を含めて構成されることを特徴とするシステム。
【請求項８】
前記送信機は、前記要約情報に対応する付加放送を前記複数の放送チャネルのうち少なくとも一つの放送チャネルを通じて転送し、
前記受信機は、使用者の要求に応じて前記付加放送の転送される少なくとも一つの放送チャネルを受信し、前記付加放送を使用者に提供することを特徴とする請求項７に記載のシステム。
【請求項９】
前記要約情報は、前記付加放送の転送される少なくとも一つの放送チャネルの番号を含むことを特徴とする請求項８に記載のシステム。
【請求項１０】
前記受信機は、前記要約情報から前記付加放送の転送される少なくとも一つの放送チャネルの番号を検索する付加放送切替回路をさらに含めて構成されることを特徴とする請求項９に記載のシステム。
【請求項１１】
前記要約情報は、前記付加放送を識別するためのメッセージ識別子を含み、前記受信機は、前記メッセージ識別子を格納するためのメモリ部をさらに含めて構成されることを特徴とする請求項１または７に記載のシステム。
【請求項１２】
前記要約情報は、開始コードと終了コード、前記要約情報の大きさと種類を表す情報を含むことを特徴とする請求項１１に記載のシステム。
【請求項１３】
複数の放送チャネルと制御チャネルとを備え、前記制御チャネルは交互に繰り返される同期信号区間とデータ転送区間とから構成されるデジタル放送システムで付加放送を受信する装置において、
前記複数の放送チャネルの中から使用者により選択されたチャネルと前記制御チャネルの信号を受信する受信部と、
前記制御チャネルのデータ転送区間のうち所定の位置に付加放送の要約情報が存在するか否か判断する付加放送判断部と、
前記データ転送区間のうち前記所定の位置に挿入されて転送される前記要約情報を抽出する付加放送抽出部と、
前記抽出された要約情報を再生して使用者に提供する付加放送再生部と、を含めて構成されることを特徴とする装置。
【請求項１４】
前記要約情報から前記付加放送が転送される放送チャネル番号を検索し、前記受信部が、前記放送チャネル番号に対応する放送チャネルを受信するように制御する付加放送切替部をさらに含めて構成されることを特徴とする請求項１３に記載の装置。
【請求項１５】
前記要約情報は、前記付加放送を識別するためのメッセージ識別子を含み、前記受信装置は、前記メッセージ識別子を格納するためのメモリ部をさらに含めて構成されることを特徴とする請求項１３に記載の装置。
【請求項１６】
前記要約情報は、開始ビット列と終了ビット列、前記要約情報の大きさと種類を表す情報を含むことを特徴とする請求項１５に記載の装置。
【請求項１７】
複数の放送チャネルと制御チャネルとを備え、前記制御チャネルは交互に繰り返される同期信号区間とデータ転送区間とから構成されるデジタル放送システムで付加放送を受信する方法において、
ａ)前記複数の放送チャネルの中から使用者により選択された放送チャネルと前記制御チャネルとを受信し、前記放送チャネルのプログラムを使用者に提供する過程と、
ｂ)前記制御チャネルのデータ転送区間の中で付加放送区間を検索して要約情報が存在するか否か判断する過程と、
ｃ)前記付加転送区間から前記要約情報を抽出する過程と、
ｄ)前記抽出された要約情報を再生して使用者に提供する過程と、を含めて構成されることを特徴とする方法。
【請求項１８】
ｅ−１)使用者の要求に応じて前記要約情報に対応する付加放送を受信し、前記付加放送を使用者に提供する過程をさらに含めて構成されることを特徴とする請求項１７に記載の方法。
【請求項１９】
ｅ−２)前記複数の放送チャネルのうち少なくとも一つの放送チャネルを通じて前記要約情報に対応する付加放送が転送されるか否か判断する過程をさらに含めて構成されることを特徴とする請求項１８に記載の方法。
【請求項２０】
ｅ−３)前記少なくとも一つの放送チャネルの番号が前記要約情報に含まれているか否か検索する過程をさらに含めて構成されることを特徴とする請求項１９に記載の方法。
【請求項２１】
ｆ)前記少なくとも一つの放送チャネルを通じて前記付加放送が転送されるか否かを表示する過程をさらに含めて構成されることを特徴とする請求項１８に記載の方法。
【請求項２２】
制御チャネルと複数の放送チャネルとを備え、前記制御チャネルは同期信号区間とデータ転送区間を交互に転送するデジタル放送システムで付加放送を提供する方法において、
ａ)前記データ転送区間を制御データ区間と付加放送区間とに区分し、要約情報と前記放送チャネルに対する制御データをそれぞれ前記付加放送区間と制御データ区間に割り当てる過程と、
ｂ)前記データ転送区間と同期信号区間を交互に繰り返し多重化して制御チャネルを通じて転送する過程と、
ｃ)前記制御チャネルを通じて転送される信号を受信し、前記付加放送区間に要約情報が存在するか否か判断する過程と、
ｄ)前記要約情報を前記付加放送区間から抽出し再生する過程と、を含めて構成されることを特徴とする方法。
【請求項２３】
ｅ)前記要約情報に対応する付加放送を前記複数の放送チャネルのうち少なくとも一つの放送チャネルを通じて転送する過程と、
ｆ)使用者の要求に応じて前記少なくとも一つの放送チャネルを通じて転送される付加放送を受信して使用者に提供する過程と、をさらに含めて構成されることを特徴とする請求項２２に記載の方法。
【請求項２４】
前記要約情報は、前記付加放送の転送される少なくとも一つの放送チャネルの番号を含むことを特徴とする請求項２３に記載の方法。
【請求項２５】
前記ｆ)過程は、前記少なくとも一つの放送チャネルを通じて前記付加放送が転送されるか否かを表示する過程をさらに含めて構成されることを特徴とする請求項２３に記載の方法。
【請求項２６】
複数の放送チャネルと制御チャネルとを備え、前記制御チャネルは交互に繰り返される同期信号区間とデータ転送区間とから構成されるデジタル放送システムで付加放送を受信する方法において、
ａ)前記複数の放送チャネルの中から使用者により選択された放送チャネルと前記制御チャネルとを受信し、前記放送チャネルのプログラムを使用者に提供する過程と、
ｂ)前記制御チャネルのデータ転送区間のうち付加放送区間を検索して要約情報が存在するか否か判断する過程と、
ｃ)前記付加転送区間から前記要約情報を抽出し再生する過程と、
ｄ)前記複数の放送チャネルのうち前記要約情報に対応する付加放送が転送される放送チャネルを前記要約情報から検索する過程と、
ｅ)使用者の要求に応じて前記付加放送が転送される放送チャネルに切り替える過程と、を含めて構成されることを特徴とする方法。
【請求項２７】
前記ｄ)過程は、
ｄ−１)前記要約情報に前記付加放送の転送される放送チャネル番号が含まれているか否か判断する過程と、
ｄ−２)前記要約情報から前記放送チャネル番号を抽出する過程と、をさらに含めて構成されることを特徴とする請求項２６に記載の方法。
【請求項２８】
前記ｅ)過程は、
ｅ−１)前記放送チャネルを通じて前記付加放送が転送されるか否かを表示する過程をさらに含めて構成されることを特徴とする請求項２７に記載の方法。
【請求項２９】
ｇ)前記要約情報と以前に受信された要約情報とを比較してそれらが同一であるか判断する過程と、
ｈ)前記要約情報が以前に受信された要約情報と同一の場合には前記要約情報を表示しない過程と、をさらに含めて構成されることを特徴とする請求項１７、２２及び２６のいずれか一項に記載の方法。
【請求項３０】
前記ｇ)過程は、
ｇ−１)前記要約情報に含まれたメッセージ識別子とメモリに格納されているメッセージ識別子とを比較する過程をさらに含めて構成されることを特徴とする請求項２９に記載の方法。
【請求項３１】
i)前記要約情報に含まれたメッセージ識別子をメモリに格納する過程をさらに含めて構成されることを特徴とする請求項３０に記載の方法。
【請求項３２】
前記要約情報は、開始コードと終了コードを含むことを特徴とする請求項１７、２２及び２６のいずれか一項に記載の方法。
【請求項３３】
前記制御チャネルのデータ転送区間から付加放送区間を検索して前記要約情報が存在するか否か判断する過程は、前記付加放送区間が前記開始コードを含むか否か検査する過程をさらに含めて構成されることを特徴とする請求項３２に記載の方法。
【請求項３４】
ｊ)前記使用者により選択された放送チャネルの番号を格納する過程と、
ｋ)使用者から前記付加放送の視聴終了要求が入力される場合、前記格納された放送チャネルを再び受信する過程をさらに含めて構成されることを特徴とする請求項１８または２６に記載の方法。
【発明の詳細な説明】
【技術分野】
【０００１】
本発明は、デジタル放送システムに関し、特に、デジタル放送システムにおいて付加放送を提供するための送受信装置及び方法に関する。
【背景技術】
【０００２】
デジタル放送では複数のプログラムが高効率で圧縮されて多重化され、それは衛星または地上中継器を介して放送される。デジタル放送システムは、一つの制御チャネルと複数の放送チャネルとから構成され、各チャネルはデジタル放送システムにより採択される変調方式によって周波数または拡散コードを通じて区分される。制御チャネルはパイロットチャネルとも呼ばれ、受信信号の分析、拡散信号の同期検出、受信機制御などのための制御データの転送を目的とするチャネルである。放送チャネルは一般の放送プログラムを転送するチャネルである。デジタル放送受信機は前記制御チャネルに転送される制御データの制御の下に使用者により選択された放送チャネルのプログラムを使用者に提供する。
【０００３】
ところで、従来のデジタル放送システムにおいて天気、事故、交通情報などの付加放送を使用者らに提供するためには、現在使用者により選択された放送チャネル内に付加放送が含まれて転送されなければならない。したがって、それぞれ異なるチャネルを視聴している全ての使用者らに付加放送が提供されるためには同じ付加放送を全ての放送チャネルに挿入しなければならず、効率的なチャネル管理ができなかった。そこで、放送資源の無駄使いを抑えつつ付加放送を提供できる技術が望まれてきた。
【０００４】
しかも、従来のデジタル放送システムでは付加放送が一律的に全ての使用者に提供されるため、付加放送の受信を希望しない使用者や特定の付加放送だけを受信したがる使用者らの要求を満たせず、使い勝手の不便さを招いてきた。そこで、多くの使用者の異なる要求を反映し差別化した付加放送を提供できる新しい技術が望まれている。
【発明の開示】
【発明が解決しようとする課題】
【０００５】
したがって、本発明の目的は、制御チャネルを利用して付加放送を提供できるシステムを提供することにある。
【０００６】
本発明の他の目的は、制御チャネルを利用して付加放送の要約情報を提供し、使用者の選択に応じて付加放送チャネルに切り替えられるシステムを提供することにある。
【課題を解決するための手段】
【０００７】
上記の目的を達成するべく、本発明は、 放送チャネルに対する制御データと要約情報を前記データ転送区間に割り当てて制御チャネルを通じて転送し、前記要約情報に対応する付加放送を前記複数の放送チャネルのうち少なくとも一つのチャネルに割り当てて転送する送信機と、前記制御チャネルを通じて転送される信号を受信し、前記データ転送区間から前記要約情報を検索して表示し、前記要約情報に対応する付加放送の受信が要求される場合前記付加放送の転送される放送チャネルを受信する受信機と、を含めて構成されるデジタル放送システムを提供する。
【０００８】
また、上記の目的を達成するべく、本発明は、制御チャネルのデータ転送区間を制御データ区間と付加放送区間とに区分し、要約情報と前記放送チャネルに対する制御データと所定の同期信号をそれぞれ、制御チャネルの付加放送区間と前記制御データ区間と前記同期信号区間に割り当てて多重化し、前記制御チャネルを通じて転送する送信機と、前記制御チャネルを通じて転送される信号を受信し、前記付加放送区間に前記要約情報が存在するか否か判断し、前記要約情報を前記付加放送区間から抽出して使用者に提供する受信機と、を含めて構成されるデジタル放送システムを提供する。
【０００９】
また、上記の目的を達成するべく、本発明は、複数の放送チャネルと制御チャネルとを備え、前記制御チャネルは交互に繰り返される同期信号区間とデータ転送区間とから構成されるデジタル放送システムにおいて、前記複数の放送チャネルの中から使用者により選択されたチャネルと前記制御チャネルの信号を受信する受信部と、前記制御チャネルのデータ転送区間のうち所定の位置に付加放送の要約情報が存在するか否か判断する付加放送判断部と、前記データ転送区間のうち前記所定の位置に挿入されて転送される前記要約情報を抽出する付加放送抽出部と、前記抽出された要約情報を再生して使用者に提供する付加放送再生部と、を含めて構成される付加放送受信装置を提供する。
【００１０】
また、上記の目的を達成するべく、本発明は、複数の放送チャネルと制御チャネルとを備え、前記制御チャネルは交互に繰り返される同期信号区間とデータ転送区間とから構成されるデジタル放送システムにおいて、前記複数の放送チャネルの中から使用者により選択された放送チャネルと前記制御チャネルとを受信し、前記放送チャネルのプログラムを使用者に提供する過程と、前記制御チャネルのデータ転送区間の中で付加放送区間を検索して要約情報が存在するか否か判断する過程と、前記付加転送区間から前記要約情報を抽出する過程と、前記抽出された要約情報を再生して使用者に提供する過程と、を含めて構成される付加放送受信方法を提供する。
【００１１】
また、上記の目的を達成するべく、本発明は、制御チャネルと複数の放送チャネルとを備え、前記制御チャネルは同期信号区間とデータ転送区間を交互に転送するデジタル放送システムにおいて、前記データ転送区間を制御データ区間と付加放送区間とに区分し、要約情報と前記放送チャネルに対する制御データをそれぞれ前記付加放送区間と制御データ区間に割り当てる過程と、前記データ転送区間と同期信号区間を交互に繰り返し多重化して制御チャネルを通じて転送する過程と、前記制御チャネルを通じて転送される信号を受信し、前記付加放送区間に要約情報が存在するか否か判断する過程と、前記要約情報を前記付加放送区間から抽出し再生する過程と、を含めて構成される付加放送のサービス方法を提供する。
【００１２】
また、上記の目的を達成するべく、本発明は、 複数の放送チャネルと制御チャネルとを備え、前記制御チャネルは交互に繰り返される同期信号区間とデータ転送区間とから構成されるデジタル放送システムにおいて、前記複数の放送チャネルの中から使用者により選択された放送チャネルと前記制御チャネルとを受信し、前記放送チャネルのプログラムを使用者に提供する過程と、前記制御チャネルのデータ転送区間のうち付加放送区間を検索して要約情報が存在するか否か判断する過程と、前記付加転送区間から前記要約情報を抽出し再生する過程と、前記複数の放送チャネルのうち前記要約情報に対応する付加放送が転送される放送チャネルを前記要約情報から検索する過程と、使用者の要求に応じて前記付加放送が転送される放送チャネルに切り替える過程と、を含めて構成される付加放送受信方法を提供する。
【発明の効果】
【００１３】
上述の如く、本発明は、制御チャネルを通じて要約情報を提供するため、放送チャネル容量の無駄使いを減らすことができる。また、本発明は、まず要約情報を提供したのち使用者の要求に応じてより具体的な付加放送を提供するため、使用者の便宜性が増大する効果がある。
【発明を実施するための最良の形態】
【００１４】
以下、本発明の好ましい実施例を添付図面を参照しつつ詳細に説明する。図面中、同一の構成要素には可能な限り同一の参照番号及び符号を付する。尚、下記の説明にあたり、関連する公知機能または構成に対する具体的な説明が本発明の要旨を曖昧にするとされる場合にはその詳細を省略するものとする。
【００１５】
図１Ａ及び図１Ｂは、本発明の好ましい実施例による制御チャネルの構成を示す図である。次に、図１Ａ及び図１Ｂを参照して付加放送の要約情報を転送するための制御チャネルの構成について詳細に説明する。
【００１６】
図１Ａは、デジタル放送システムで使用される制御チャネルの転送フレームの構成を示す図である。制御チャネルの転送フレームは、交互に繰り返される同期信号区間ＰＳとデータ転送区間Ｄ１〜Ｄ５１とから構成される。同期信号区間は２５０μｓｅｃごとに繰り返され、３２ビット長の同期信号、すなわちパイロットシンボルが挿入される。データ転送区間は各種制御データを転送するのに使用され、Ｄ１〜Ｄ５１で表示される。一つのフレームは５１対の同期信号区間とデータ転送区間を単位として構成され、６フレーム単位で一つのスーパーフレームが構成される。
【００１７】
前記データ転送区間のうちＤ１には受信機においてフレーム同期を確立できるように所定パターンのビット列が配置され、Ｄ２にはスーパーフレーム内のフレーム位置を表すカウンタが配置される。Ｄ３〜Ｄ５０は全体制御情報とチャネル構成情報を転送するために使われる。Ｄ３〜Ｄ５０の使用領域と構成形式は放送事業者が提供する放送チャネルの数と種類などの放送環境に基づいて放送事業者と受信機間にあらかじめ約束される。特に、本発明の好ましい実施例においてＤ３〜Ｄ５０は制御データ区間と付加放送区間とに区分され、付加放送の要約情報は前記付加放送区間に配置される。
【００１８】
図１Ｂは、本発明の好ましい実施例による付加放送要約情報のデータ構成を示す図である。本明細書中、付加放送の要約情報は、開始コード(Start_code)１１と終了コード(End_code)１８、メッセージ識別子(Msg_ID)１２、チャネルフラグ(Ch_Flag)１３、メッセージ長(Msg_Length)１４、メッセージ類型(Msg_Type)１５、チャネル番号(Ch-No)１６とメッセージ内容(Msg_Body)１７などのデータを含めて構成されると仮定する。しかし、上述したデータ以外の他のデータをさらに含むか、上述したデータの一部を含まないように変形することも可能であることに留意されたい。
【００１９】
開始コード１１と終了コード１８は、受信機で前記付加放送の要約情報の開始と終了が識別できるようにあらかじめ約束されたパターンのビット列である。メッセージ識別子１２は転送される付加放送を識別するためのデータであり、メッセージ長１４は制御チャネルに転送される付加放送の要約情報の長さを表す。受信機は、前記メッセージ長１４から終了ビット列１８の位置を推定でき、かつ、推定される終了ビット列の位置と実際受信された終了ビット列の位置とを比較してエラー発生有無が判断できる。メッセージ類型１５は、付加放送の類型を表し、本明細書において付加放送の類型は、天気、事故、交通などのメッセージ種類とビデオ放送、オーディオ放送などのメッセージ形態などに区分される場合を仮定する。チャネルフラグ１３は、前記要約情報に該当する詳細な内容を含む付加放送が放送チャネルを通じて転送されるか否かを表すためのものであり、チャネルフラグ１３が設定された場合メッセージ内容１７フィールドの特定領域が放送チャネルの番号１６を表示するのに使用される。
【００２０】
前記付加放送の要約情報は、制御チャネルのデータ転送区間Ｄ３〜Ｄ５０の付加放送区間に挿入される。前記付加放送区間の位置は、放送事業者と受信機との間にあらかじめ約束されねばならない。通常、前記要約情報は制御チャネルのスーパーフレーム単位で挿入される。すなわち、一つのスーパーフレームを構成する６本のフレームの付加放送区間が１単位を構成し、１単位の付加放送区間に一つの付加放送要約情報が分割・挿入される。しかし、要約情報の大きさが前記１単位の付加放送区間以上である場合には複数のスーパーフレームに亘って転送されることも可能である。
【００２１】
図２は、本発明の好ましい実施例による付加放送の転送信号を生成するデジタル放送送信機の構成を示すブロック図である。本明細書では符号分割多重転送方式を使用するデジタル放送システムの場合について説明されるが、それ以外の多重転送方式を使用する場合にも本発明が適用され得ることに留意されたい。
【００２２】
データ転送区間Ｄ３〜Ｄ５０に転送される制御データは第１多重化器２２に入力される。また、前記第１多重化器２２には付加放送の要約情報も入力され、前記要約情報がＤ３〜Ｄ５０の付加放送区間に配置されて転送され得るように前記要約情報を前記制御データに挿入する。このとき、制御データはフレーム単位で前記第１多重化器２２に入力され、要約情報は１フレームに含まれる付加放送区間の大きさに対応するように分割されて入力される。前記要約情報は１スーパーフレーム単位で前記制御データに挿入される。すなわち、要約情報の大きさが１スーパーフレームの付加放送区間の大きさより小さくても次の要約情報は次のスーパーフレームから挿入され、要約情報の大きさが１スーパーフレームの付加放送区間の大きさよりも大きい場合には次のスーパーフレームまで延長されて挿入される。受信機が全ての制御チャネルを受信しない場合にも要約情報を受信できるように、前記要約情報は放送事業者の選択に応じて少なくとも１回以上繰り返して挿入転送されることが好ましい。
【００２３】
前記第１多重化器２２から出力される信号は、リードソロモン符号化器２１で符号化され、バイトインターリーバ２３でバイトインターリーブされる。バイトインターリーバ２３から出力される信号は、畳込み符号化器２５で圧縮符号化され、第２多重化器２７に入力される。第２多重化器２７は、パイロットシンボルとＤ１、Ｄ２、Ｄ５１に転送される制御データ、Ｄ３〜Ｄ５０に転送される圧縮符号化された制御データと要約情報を受信する。第２多重化器２７は、前記パイロットシンボルを同期信号区間に、制御データを該当データ転送区間Ｄ１〜Ｄ５１に、要約情報を付加放送区間にそれぞれ割り当て、多重化された制御チャネル転送信号を生成する。ＣＤＭ変調器２９は前記制御チャネル転送信号を制御チャネルの拡散コードＷ０で拡散変調する。
【００２４】
放送チャネルを通じて転送される一般の放送プログラムのデータストリームはそれぞれ、リードソロモン符号化器２１１〜２１ｎで符号化され、バイトインターリーバ２３１〜２３ｎでバイト別にデータ順番が再配列される。バイトインターリーバ２３１〜２３ｎから出力される一般放送のデータストリームは畳込み符号化器２５１〜２５ｎで圧縮符号化され、また、ビットインターリーバ２７１〜２７ｎでビット別にデータ順番が再配列された後、ＣＤＭ変調器２９で各放送チャネルの拡散コードＷ１〜Ｗｎにより拡散変調される。このとき放送チャネルを通じて転送されるデータストリームの中には制御チャネルを通じて転送される前記要約情報に該当する付加放送のデータストリームが含まれることができる。付加放送のデータストリームは説明された実施例のように一つの放送チャネルを占有して転送されても良く、或いは、他の一般放送のデータストリームが転送される放送チャネルに挿入されて転送されても良い。ＣＤＭ変調器２９は各拡散変調された放送チャネルと制御チャネルの転送信号を多重化し、符号分割多重化された転送信号を出力する。
【００２５】
一方、本発明の好ましい実施例では付加放送の要約情報が第１多重化器２２において制御データに挿入される場合について説明したが、本発明はこれに限定されるのではない。例えば、制御データと付加放送の要約情報がそれぞれリードソロモン符号化、バイトインターリーバ及び畳込み符号化を通じてそれぞれ圧縮符号化された後、パイロットシンボルとＤ１、Ｄ２に転送される制御データと一緒に多重化器においてそれぞれの割当領域に配置されるように変形することも可能であることに留意されたい。また、本発明の好ましい実施例では第１多重化器２２で制御データがフレーム単位で処理される例を取って説明されたが、スーパーフレーム単位で処理されるように変更しても良いことに留意されたい。
【００２６】
図３は、本発明の好ましい実施例による付加放送を受信するためのデジタル放送受信機の構成を示すブロック図である。
【００２７】
符号分割多重化された転送信号は、直交検波回路３０１で直交検波され、ＣＤＭ復調器３０３は制御チャネルに対する拡散コードＷ０と一般放送チャネルに対する拡散コードＷ１〜Ｗｎの中で使用者により選択されたチャネルに対応する拡散コードを利用して符号分割多重化された転送信号から制御チャネルの転送信号と放送チャネル転送信号とを分離する。Ｄ３〜Ｄ５０抽出回路３０５は、制御チャネル転送信号を受信し、データ転送区間に挿入されているデータを抽出する。一方、前記受信機はＤ１、Ｄ２を利用してフレーム及びスーパーフレームのタイミング信号を生成する。抽出されたデータ転送区間Ｄ３〜Ｄ５０のデータは誤り訂正部３０７に提供される。また抽出されたデータ転送区間Ｄ３〜Ｄ５０のデータは付加放送判断回路３０９にも提供される。付加放送判断回路３０９は、抽出されたデータ転送区間Ｄ３〜Ｄ５０の付加放送区間に付加放送の要約情報が存在するか否か判断し、要約情報が存在する場合付加放送抽出回路３１１に制御信号を出力する。
【００２８】
誤り訂正部３０７はＣＤＭ復調器３０３から出力される制御チャネル転送信号と放送チャネル転送信号の転送エラーを訂正する。付加放送抽出回路３１１は、付加放送判断回路３０９の制御信号を受信し、誤り訂正部３０７から出力されるデータ転送区間Ｄ３〜Ｄ５０のデータから制御データと付加放送の要約情報とを分離する。付加放送抽出回路３１１はフレーム及びスーパーフレームのタイミング信号に応じてスーパーフレーム単位で付加放送区間から抽出された要約情報の中に開始コード１１が存在するか否か検査し、開始コード１１が存在する場合にはメッセージ識別子１２を検出する。
【００２９】
付加放送再生回路３１３は分離された付加放送要約情報を受信し、その情報を要約情報の形態に応じて表示部３２３やスピーカーを介して出力する。付加放送切替回路３２５は、前記要約情報に該当する付加放送が他の放送チャネルを通じて転送されている場合、前記要約情報から前記付加放送の転送される放送チャネルの番号を抽出する。前記付加放送抽出回路３１１と付加放送再生回路３１３及び付加放送切替回路３２５で行われる動作は図４を参照して詳細に後述する。
【００３０】
再多重回路３１５は、誤り訂正部３０７から出力される放送チャネルのデータストリームを再多重し、ＴＳ逆多重化器３１７に出力する。ＴＳ逆多重化器３１７はデータストリームからオーディオ転送パケットとビデオ転送パケットなどを分離する。ビデオデコーダ３１９とオーディオデコーダ３２１はそれぞれ、ビデオ転送パケットデータとオーディオ転送パケットデータの圧縮を解除し、表示部３２３とスピーカーを介して出力する。
【００３１】
図４は、本発明の好ましい実施例によるデジタル放送受信機において付加放送を提供する方法を示す順序図である。次に、図３及び図４を参照してデジタル放送受信機において付加放送の要約情報と付加放送を提供する方法について詳細に説明する。
【００３２】
４０１段階においてデジタル放送受信機は、使用者の要求に応じて一般放送プログラム、すなわち放送チャネルのプログラムを使用者に提供する。４０３段階において受信機は、付加放送の受信が許容されたか否か検査する。この付加放送の受信許容可否は使用者によりあらかじめ設定される。付加放送の受信が許された場合には４０５段階に進み、許されなかった場合には４０１段階に戻って一般放送の視聴を続ける。４０５段階において受信機の付加放送判断回路３０９は制御チャネルのデータ転送区間の中から付加放送区間を検索し、該付加放送区間に付加放送の要約情報が存在するか検査する。付加放送の要約情報が存在する場合には４０９段階に進み、存在しない場合には終了段階に進んで前記手続を終了し、使用者は一般放送を視聴し続ける。
【００３３】
４０９段階において付加放送抽出回路３１１は、誤り訂正部３０７から出力されるデータ転送区間Ｄ３〜Ｄ５０のデータから付加情報の要約情報を分離し、スーパーフレームの最初のフレームの付加放送区間から分離された要約情報の中に開始ビット列１１が含まれているか否か検査する。分離された要約情報の中に開始コード１１が含まれていると、前記付加放送抽出回路３１１はメッセージ識別子１２を検出する。しかし、開始コード１１が含まれていない場合には現スーパーフレームに転送されてくる要約情報を廃棄し、次のスーパーフレームに転送される要約情報に開始ビット列１１が含まれているか検査する。
【００３４】
４１１段階において付加放送抽出回路３１１は、前記メッセージ識別子１２と示さぬメモリに格納されているメッセージ識別子とを比較し、現在受信された付加放送が初めて受信されたものか判断する。既に受信した付加放送である場合には終了段階に進んで前記手続を終了し、使用者は一般放送を視聴し続ける。しかし、初めて受信された付加放送の場合には４１３段階に進み、抽出されたメッセージ識別子１２をメモリに格納し４１５段階に進む。４１５段階において付加放送抽出回路３１１は、要約情報から付加放送の要約情報のメッセージ類型１５とメッセージ内容１７を抽出して付加放送再生回路３１３に提供する。前記付加放送抽出回路３１３は、終了コード１８が検出される時までメッセージ内容１７を抽出し続ける。付加放送再生回路３１３は前記要約情報の内容と類型を再生する。再生された要約情報メッセージの類型と内容は、表示部３２３とスピーカーを介して使用者に提供される。前記要約情報はテキスト形態で表示部３２３に表示されるのが一般的である。また、前記要約情報のテキストは、固定された形態で表示されてもよく、左右に流れる形態で表示されても良い。
【００３５】
前記付加放送抽出回路３１１は、付加放送の要約情報の中からチャネルフラグ１３フィールドを検査し、前記要約情報に対応する付加放送が放送チャネルを通じて転送されているか否か判断する。放送チャネルを通じて転送される付加放送が存在する場合には使用者に要約情報の詳細な内容、すなわち付加放送を他のチャネルを通じて視聴できるということを、所定のアイコンや簡単な文字メッセージまたは音声メッセージなどを介して報知する。
【００３６】
４１７段階において前記受信機は、使用者から前記要約情報に該当する付加放送の視聴要求が入力されるか否か検査する。付加放送の視聴が要求されない場合には終了段階に進んで前記過程を終了した後、一般放送の視聴を続ける。使用者が付加放送の視聴を要求した場合には、付加放送切替回路３４５は現在視聴している放送チャネル番号をメモリに記憶させ、４１９段階に進む。４１９段階において前記付加放送切替回路３２５は、付加放送の要約情報の中でチャネル番号１６フィールドを検査し、付加放送の転送されるチャネル番号を獲得する。４２１段階において付加放送切替回路３２５は獲得されたチャネル番号に該当する拡散コードをＣＤＭ復調器３０３に提供する。ＣＤＭ復調器３０３は、前記チャネル番号に該当する拡散コードを利用して付加放送の転送される放送チャネルを受信し、受信された付加放送を誤り訂正部３０７、再多重回路３１５、ＴＳ逆多重化器３１７、オーディオデコーダ３２１、ビデオデコーダ３１９なとを経て表示部３２３とスピーカーから出力する。
【００３７】
４２３段階において受信機は、使用者から付加放送の視聴終了要求が入力されるか否か検査する。付加放送視聴終了要求がない場合には付加放送チャネルを視聴し続け、付加放送視聴終了要求がある場合には４２５段階に進む。４２５段階において前記受信機は以前に視聴した放送チャネルの番号をメモリから読出し、該当拡散コードをＣＤＭ復調器３０３に提供して移転放送チャネルに切り替え、前記過程を終了する。
【００３８】
以上、本発明の詳細な説明では具体的な実施例を上げて説明してきたが、本発明の範囲を外れない限度内で様々な変形が可能であることは勿論のことである。したがって、本発明の範囲は説明された実施例によって定められるものではなく、特許請求の範囲及びこの特許請求の範囲と均等なものによって定められるべきである。
【図面の簡単な説明】
【００３９】
【図１Ａ】本発明の好ましい実施例による制御チャネル構成を示す図である。
【図１Ｂ】本発明の好ましい実施例による制御チャネル構成を示す図である。
【図２】本発明の好ましい実施例による付加放送の転送信号を生成するデジタル放送送信機の構成を示すブロック図である。
【図３】本発明の好ましい実施例による付加放送を受信するためのデジタル放送受信機の構成を示すブロック図である。
【図４】本発明の好ましい実施例によるデジタル放送受信機において付加放送を提供する方法を示す順序図である。
【符号の説明】
【００４０】
２１・・・リードソロモン符号化器、２２・・・第１多重化器、２３・・・バイトインターリーバ、２５・・・畳込み符号化器、２７・・・第２多重化器、２９・・・CDM変調器。
【図１Ａ】
2005094736.tif 000003
【図１Ｂ】
2005094736.tif 000004
【図２】
2005094736.tif 000005
【図３】
2005094736.tif 000006
【図４】
2005094736.tif 000007